(57)【要約】【課題】  外壁や配管等の障害物に沿って容易に効率よくコンクリート構造物を構築することのできるコンクリート構造物の施工方法を提供する。【解決手段】  予め、薄鋼板型枠パネル２をランナー６、キャップ７及びアングル５により補強した上で、外壁Ａ等の障害物に近接させて立設する。当該薄鋼板型枠パネル２に形成したセパレータ孔にＰコン４ａ及びナット４ｂを用いてセパレータ３の一端を固定するとともに、当該セパレータの他端にコンクリートパネル８を締結具としてのフォームタイ９により固定し、コンクリート型枠１を形成する。そして、当該コンクリート型枠１の枠内にコンクリートを打設する。【選択図】図１
2014227762.tif 000002
【特許請求の範囲】
【請求項１】
外壁又は配管等の障害物に近接させてコンクリート構築物を構築させる際の薄鋼板型枠パネルを用いたコンクリート構造物の施工方法であって、
金属板体を屈曲させてリブを所定の間隔で形成し、当該リブの底面にセパレータを挿通する複数のセパレータ孔を任意のサイズの円形で設けた薄鋼板型枠パネルの下端に断面コ字状のランナーを嵌め込んで取り付けるとともに、当該薄鋼板型枠パネルの上端に断面コ字状のキャップを嵌め込んで取り付ける工程と、
当該薄鋼板型枠パネルの複数のセパレータ孔のうち任意のセパレータ孔に対して内側及び外側から型枠保持部材を取付けるとともに、当該外側の型枠保持部材と薄鋼板型枠パネルとの間に一又は二以上の棒状の型枠補強部材を各左右の型枠保持部材にかけて取付ける工程と、
当該薄鋼板型枠パネルを、当該薄鋼板型枠パネルの外側を外壁又は配管等の障害物に向けた状態で近接させて立設する工程と、
前記薄鋼板型枠パネルのセパレータ孔に取付けた内側の型枠保持部材にセパレータの一端を挿入して固定する工程と、
前記複数のセパレータの他端に前記内側の型枠保持部材と締結具によりコンクリートパネルを固定して、当該コンクリートパネルと前記薄鋼板型枠パネルによって囲まれたコンクリート型枠を構築する工程と、
当該コンクリート型枠の枠内にコンクリートを打設する工程とからなることを特徴とするコンクリート構築物の施工方法。
【請求項２】
前記コンクリート型枠を構築する工程の後でコンクリートを打設する工程の前に、コンクリートパネルの外側と地面との間に支保を固定する工程と、ロープ状体を張る工程とを含むことを特徴とする請求項１に記載のコンクリート構築物の施工方法。
【発明の詳細な説明】
【技術分野】
【０００１】
本発明は、コンクリートを打設する際の薄鋼板型枠パネルを用いたコンクリート構造物の施工方法に関する。
【背景技術】
【０００２】
従来、外壁等に隣接してコンクリート構造物を施工するにあたっては、当該外壁等に隣接して型枠を設置するのが困難であるため、外壁から内側の型枠まで全体にコンクリートを打設する必要があり、必要以上にコンクリートを使用することから無駄が生じていた。
【０００３】
また、配管等の障害物があった場合には、当該障害物がコンクリート型枠の構築を阻害するために、外壁等に近接してコンクリート構造物を構築することは困難だった。
【０００４】
そんな中、周囲に近接して擁壁が形成されたコンクリート地下構造物の外壁型枠工法において、擁壁側にラス型枠及び部屋側に合板の型枠を立設し、当該擁壁側のラス型枠の上方に間隔保持部材をシートパイルに橋架するように着脱状態に取付け、ラス型枠と合板の型枠とを固定するためにセパレータのラス型枠側先端をラス型枠の固定ボルトにねじ込み、合板の型枠を木端太やサポートを用いて補強した後、ラス型枠と合板の型枠の間にコンクリートを打設することによって、無駄なコストや資源を省くことができ、安全で効率の良い型枠工事を実現することのできる外壁型枠工法が提供されている（特許文献１）。
【先行技術文献】
【特許文献】
【０００５】
【特許文献１】特開２００４−５２４６２号公報
【発明の概要】
【発明が解決しようとする課題】
【０００６】
しかしながら、前記特許文献１に記載の技術では、ラス型枠に対してセパレータの先端をねじ込んでいるに過ぎず、セパレータから擁壁方向にのみ加圧されていることからラス型枠が擁壁方向へと倒れ込む可能性があり、また、コンクリートの打設時の強度に危惧が生じるおそれがあるために、当該ラス型枠と擁壁との間にその間隔を保持するための間隔保持部材を設け、当該ラス型枠の擁壁方向への倒れ込みを防止し、当該ラス型枠を鉛直に適切に立設しているものの、当該間隔保持部材を取付けるための作業をする必要性があり、また、ラス型枠と擁壁との間隔に応じた間隔保持部材を用意する必要があることから、作業効率を低下させるという問題があった。
【０００７】
また、前記間隔保持部材を取付けるに際して、前記障害物が配管等であった場合には、対象が擁壁である場合と異なり、当該間隔保持部材を配管等に取付けることは容易ではなく、適切にラス型枠を立設することができないという問題もあった。
【０００８】
そこで、本発明は、間隔保持部材を取付ける必要がなく、外壁や配管等の障害物に沿って容易に効率よくコンクリート構造物を構築することのできるコンクリート構造物の施工方法を提供することを課題とした。
【課題を解決するための手段】
【０００９】
上記課題を解決するために、本発明は次のように構成した。すなわち、本発明に係る請求項１にコンクリート構造物の施工方法は、外壁又は配管等の障害物に近接させてコンクリート構築物を構築させる際の薄鋼板型枠パネルを用いたコンクリート構造物の施工方法であって、金属板体を屈曲させてリブを所定の間隔で形成し、当該リブの底面にセパレータを挿通する複数のセパレータ孔を任意のサイズの円形で設けた薄鋼板型枠パネルの下端に断面コ字状のランナーを嵌め込んで取り付けるとともに、当該薄鋼板型枠パネルの上端に断面コ字状のキャップを嵌め込んで取り付ける工程と、当該薄鋼板型枠パネルの複数のセパレータ孔のうち任意のセパレータ孔に対して内側及び外側から型枠保持部材を取付けるとともに、当該外側の型枠保持部材と薄鋼板型枠パネルとの間に一又は二以上の棒状の型枠補強部材を各左右の型枠保持部材にかけて取付ける工程と、当該薄鋼板型枠パネルを、当該薄鋼板型枠パネルの外側を外壁又は配管等の障害物に向けた状態で近接させて立設する工程と、前記薄鋼板型枠パネルのセパレータ孔に取付けた内側の型枠保持部材にセパレータの一端を挿入して固定する工程と、前記複数のセパレータの他端に前記内側の型枠保持部材と締結具によりコンクリートパネルを固定して、当該コンクリートパネルと前記薄鋼板型枠パネルによって囲まれたコンクリート型枠を構築する工程と、当該コンクリート型枠の枠内にコンクリートを打設する工程とからなることを特徴としている。
【００１０】
また、請求項２に記載のコンクリート構造物の施工方法は、前記コンクリート型枠を構築する工程の後でコンクリートを打設する工程の前に、コンクリートパネルの外側と地面との間に支保を固定する工程と、ロープ状体を張る工程とを含むことを特徴としている。
【発明の効果】
【００１１】
本発明に係る請求項１に記載のコンクリート構造物の施工方法によれば、薄鋼板型枠パネルを立設する前に、薄鋼板型枠パネルに予め型枠補強部材（アングル）を設け、さらに、薄鋼板型枠パネルの立設に際して、その下端に断面コ字状のランナーを嵌め込み、また、その上端に断面コ字状のキャップを嵌め込み、さらに薄鋼板型枠パネルの外壁側にアングルを取付けることにより、コンクリート型枠としての最低限の強度を保持することができ、強度を保持できることから、薄鋼板型枠パネルを立設してコンクリート型枠の形成した後に改めて前記間隔保持部材を設けることなくコンクリートを打設することができる。
【００１２】
また、前記の通り、従来の間隔保持部材を設ける必要性がないことから、前記障害物が配管等の間隔保持部材の設置が困難な場合であっても、容易に薄鋼板型枠パネルを立設することができ、種々の障害物が存していた場合であってもコンクリート構造物を構築することができる。
【００１３】
また、請求項２に記載のコンクリート構造物の施工方法によれば、コンクリートパネルの外側面と地面との間に支保を固定し、且つ、ロープ状体を張ることで、当該支保がコンクリートパネルの外側へと倒れ込むのを防止するために当該コンクリートパネルを支持し、且つ、コンクリートが打設されたコンクリート型枠が配管等の障害物方向へと倒れ込もうとするのに対して、ロープ状体側へと引張する力が働くため、当該コンクリート型枠の倒れ込みを防止することができ、支保及びロープ状体の両者のバランスにより安定してコンクリート型枠の立設を維持することができる。
【図面の簡単な説明】
【００１４】
【図１】本発明に係るコンクリート型枠を示す断面図である。
【図２】当該コンクリート型枠を示す外観斜視図である。
【図３】本発明に係る薄鋼板型枠パネルを示す外観斜視図である。
【図４】当該コンクリート施工方法の手順を示すフローチャートである。
【図５】当該コンクリート施工方法の手順を示す図である。
【図６】当該コンクリート施工方法の手順を示す図である。
【図７】前記薄鋼板型枠パネルを示す図である。
【図８】当該コンクリート施工方法の手順を示す図である。
【図９】当該コンクリート施工方法の手順を示す図である。
【図１０】当該コンクリート施工方法の手順を示す図である。
【図１１】他の実施例を示す断面図である。
【図１２】他の実施例を示す断面図である。
【発明を実施するための形態】
【００１５】
以下、図面に基づき、コンクリート型枠１について説明した後、当該コンクリート型枠１を利用したコンクリート構造物の施工方法について具体的に説明する。
【００１６】
まず、図１は、本発明に係るコンクリート型枠１を示す断面図であり、図２は、当該コンクリート型枠１を示す外観斜視図である。図１及び図２に示すように、当該コンクリート型枠１は、薄鋼板型枠パネル２に複数のセパレータ３の一端を型枠保持部材４としてのＰコン４ａ及びナット４ｂで螺合して所定の間隔で固定するとともに、当該薄鋼板型枠パネル２の外側面にアングル５、当該下端にランナー６、そして当該上端にキャップ７を補強材としてビス等で固定し、複数のセパレータ３の他端をＰコン４ａ及び締結具としてのフォームタイ９（フォームタイは登録商標。）で螺合してコンクリートパネル８に固定したものである。なお、図２において、コンクリートパネル８は、コンクリート型枠１の枠内を示すため破線で表示した。
【００１７】
薄鋼板型枠パネル２は、当該薄鋼板型枠パネル２と外壁Ａとの距離間隔が７０ｍｍの間隔で立設されているため、当該外壁Ａに極めて近接させてコンクリート型枠１を構築することができ、したがって、外壁Ａに沿ってコンクリート構造物を構築することができる。当該外壁Ａのような障害物は、当該外壁Ａのように平らな平面を形成するものだけでなく、配管等のように表面が曲面であるものや、側面が平らでないようなものであってもよく、そのような障害物が近接していた場合でも薄鋼板型枠パネル２を立設してコンクリート構造物を建築することができる。
【００１８】
なお、本実施例では、図１に示すように、薄鋼板型枠パネル２と外壁Ａとの距離間隔を７０ｍｍ、アングル５の外壁Ａ側先端と外壁Ａの距離間隔を２０ｍｍとしたが、コンクリート型枠１の構築を行うことができる程度の作業スペースを確保することができればよく、さらに当該距離間隔を狭くして、例えば、アングル５の外壁Ａ側先端から約１０ｍｍの距離間隔としてもよく、逆に、壁面Ａの表面に凹凸が形成されている場合等の特殊な状況において必要があるときは、当該距離間隔を広くしてもよい。
【００１９】
図３は、前記薄鋼板型枠パネル２を示す拡大斜視図である。当該薄鋼板型枠パネル２は、金属板体を屈曲させてリブ２ａを所定の間隔で形成し、当該リブ２ａの底面にセパレータ３を挿通する複数のセパレータ孔２ｂを任意のサイズの円形で設けている。当該セパレータ孔２ｂは、当該リブ部２ａを底面に円形のＣ型スリットを設け、当該Ｃ型スリットを指等で押圧することによって開口するように形成されている。
【００２０】
このように構築したコンクリート型枠１を用いてコンクリート構造物を建築する手順を、以下の図４のフローチャート及び図５乃至図１０等を用いて具体的に説明する。図５及び図６並びに図８乃至図１０は、本コンクリート施工方法の手順を示す図であり、図７は、薄鋼板型枠パネル２を示す図である。
【００２１】
まず、図５の薄鋼板型枠パネル２の断面図に示すように、薄鋼板型枠パネル２の下端に断面コ字状に形成したランナー６を嵌め込み、当該ランナー６及び薄鋼板型枠パネル２の下端を貫通するようにビスαで留めることにより、薄鋼板型枠パネル２の下端にランナー６を固定する。また、薄鋼板型枠パネル２の上端に断面コ字状に形成したキャップ７を嵌め込み、ランナー６と同様にビスαを打ち込み、薄鋼板型枠パネル２の上端にキャップ７を固定する。なお、当該図５に示した工程は、予め、薄鋼板型枠パネル２を立設する前に行っておく。
【００２２】
次に、図６に示すように、前記薄鋼板型枠パネル２に対して、当該薄鋼板型枠パネル２の複数のセパレータ孔２ｂのうち任意のセパレータ孔２ｂに対して内側のＰコン４ａ及び外側のナット４ｂからなる型枠保持部材を取付けるとともに、当該ナット４ｂと薄鋼板型枠パネル２との間に一又は二以上の型枠補強部材としての棒状のアングル５を各左右の型枠保持部材にかけて図７に示す如く取付ける。このように、薄鋼板型枠パネル２に予めランナー６、キャップ７及びアングル５といった補強部材を取付けることにより強度を向上させておく。なお、当該実施例を示す図６では、二本のアングル５を取付けたが、薄鋼板型枠パネル２のサイズ等に応じて一本又は二本以上のアングル５を適宜取付けてもよい。
【００２３】
次に、図８に示すように、前記図６で示した前記薄鋼板型枠パネル２を墨出し位置に合わせて外壁Ａに近接させ、薄鋼板型枠パネル２の下部の強度を確保することを目的として、断面コ字状のランナー６と当該ランナー６の内側に嵌め込まれた薄鋼板型枠パネル２との間隙に高圧釘打機等を用いて地面まで貫通する程度に所定の間隔でコンクリート釘βを打ち込んで固定し、薄鋼板型枠パネル２を立設する。このとき、外壁Ａとの距離間隔は、図１に示すとおり、アングル５の外壁Ａ側先端から２０ｍｍで、薄鋼板型枠パネル２の外側表面から７０ｍｍである。なお、当該距離間隔は、コンクリート型枠１の構築を行うことができる程度の作業スペースを確保することができればよく、さらに当該距離間隔を狭くして、例えば、アングル５の外壁Ａ側先端から約１０ｍｍの距離間隔としてもよく、逆に、壁面Ａの表面に凹凸が形成されている場合等の特殊な状況において必要があるときは、当該距離間隔を広くしてもよい。
【００２４】
次に、図９に示すように、前記立設した薄鋼板型枠パネル２にセパレータ３を固定する。具体的には、前記薄鋼板型枠パネル２のセパレータ孔２ｂに対して内側に取付けたＰコン４ａにセパレータ３の一端を取付ける。当該セパレータ３の両端にはネジ溝が刻まれており、また、Ｐコン４ａにはネジ穴が開口しており、当該ネジ穴にネジ溝が刻まれたセパレータ３の一端を嵌め込んで螺合することにより固定する。なお、通常、セパレータ３を固定する前にコンクリート型枠１内の配筋作業を行う。
【００２５】
次に、図１及び図２に示すように、前記セパレータ３の他端にコンクリートパネル８を固定する。当該コンクリートパネル８は、合板型枠パネルや前記薄鋼板型枠パネル２のようなコンクリート構造物を構築するために用いられる一般的な型枠パネルであればよい。当該コンクリートパネル８には、前記セパレータ３に対応する箇所にセパレータ３の挿通孔が設けられ、当該挿通孔の内側にＰコン４ａを配置してフォームタイ９により固定されるとともに、当該Ｐコン４ａのネジ穴にセパレータ３の他端を嵌め込んで螺合することによりセパレータ３を固定する。なお、薄鋼板型枠パネル２と外壁Ａとの間隙においては、十分なスペースがないために、当該コンクリートパネル８のようにフォームタイ９を利用してセパレータ３を固定することはない。
【００２６】
このようにしてコンクリート型枠１を組み立てた後、図１０に示すように、当該コンクリート型枠１の枠内にコンクリートを打設する。なお、コンクリートパネル８に合板型枠パネルを利用した場合には、コンクリートの硬化後に取り外す必要がある。
【００２７】
上記工程のように、本発明に係るコンクリート構造物の施工方法によれば、コンクリート型枠１を組み立てる前に、予め、薄鋼板型枠パネル２にランナー６、キャップ７及びアングル５を固定して補強することにより、コンクリート型枠１の型枠として十分な強度を得ることができるため、コンクリートを打設しても倒れ込むことがなく独立して立設することができる。
【００２８】
また、薄鋼板型枠パネル２と外壁Ａとの間隙に間隔保持部材等の補強部材を設ける必要がないことから、外壁Ａが配管等の間隔保持部材を取付けるのが困難な障害物に置き換わっても、コンクリート型枠１を容易に組み立てることができる。
【００２９】
さらに、薄鋼板型枠パネル２の外壁Ａ方向への倒れ込みを防止するための前記間隔保持部材を設ける必要がないため、薄鋼板型枠パネル２と外壁Ａとの間隙を可及的に狭くすることができ、コンクリート構造物を構築する際、構築現場のスペースを効率的に利用することができる。
【００３０】
次に、図１１を用いて、第二の実施例について説明する。図１０は、当該実施例のコンクリート型枠１を示す断面図である。基本的な構成は上記実施例と同様であるところ、当該実施例では、コンクリートパネル８の外側に支保１０とロープ状体１１とが地面との間で橋架するように取付けられている。当該ロープ状体１１は、チェーン、ワイヤ又は縄等のロープ状のものであればよい。
【００３１】
当該支保１０は、コンクリートパネル８が外側に倒れ込むことを防止するためにコンクリートパネル８を支持するために取付けられ、一方、当該ロープ状体１１は、コンクリートパネル８が内側に倒れ込むのを外側に引くことによって倒れ込むことを防止している。この支保１０及びロープ状体１１による押し引きのバランスによりコンクリートパネル８、そしてコンクリート型枠１の立設を安定して維持することができる。
【００３２】
これ以外にも、図１２に示すように、さらに端太１２等をコンクリートパネル８の外側に設けることにより補強してもよい。
【００３３】
その他の実施例として、前記実施例では薄鋼板型枠パネル２の外側に型枠補強部材としてのアングル５を取付けた後に薄鋼板型枠パネル２を立設したが、当該薄鋼板型枠パネル２を立設した後にアングル５を取付けてもよい。
【００３４】
また、薄鋼板型枠パネル２の立設幅が比較的長くて高い場合、当該立設幅に適合する長さの薄鋼板型枠パネル２に同程度の長さのアングル５を取付けると重量が増すことからその立設が困難になる場合がある。このような場合、当該立設幅が比較的長い薄鋼板型枠パネル２を所定の間隔幅で分割して連設することにより、比較的長いアングル５を薄鋼板型枠パネル２に取付ける以下の工法を採用することができる。
【００３５】
具体的には、まず、立設幅が比較長い薄鋼板型枠パネル２を任意の間隔幅、例えば６００ｍｍで分割切断し、そのうちの一つの薄鋼板型枠パネル２を地面に立設する。次に、当該立設した薄鋼板型枠パネル２と外壁Ａとの間隙から、当該一枚目の薄鋼板型枠パネル２の連設するのとは逆側の端部にあるセパレータ孔２ｂに、前記比較的長いアングル５の一端のみをＰコン４ａ及びナット４ｂによって固定して仮留めを行う。この際、当該アングル５の他端は何ら固定されておらず下方に垂れることから、当該端端を桟木等に仮留めしてアングル５が水平を維持できるようにしてもよい。
【００３６】
次に、当該一枚目の薄鋼板型枠パネル２の連設する側の端部にあるセパレータ孔２ｂにＰコン４ａ及びナット４ｂによって前記アングル５を水平になるように固定する。このとき、当該Ｐコン４ａにセパレータ３も取付ける。
【００３７】
次に、当該一枚目の薄鋼板型枠パネル２に並べて二枚目の薄鋼板型枠パネル２を連設するとともに、当該二枚目の薄鋼板型枠パネル２であって三枚目の薄鋼板型枠パネル２が連設される側にあるセパレータ孔２ｂにＰコン４ａ及びナット４ｂによって前記アングル５を固定する。このとき、当該Ｐコン４ａにセパレータ３も取付ける。このように、二枚目の薄鋼板型枠パネル２と同様に、三枚目から所定の立設幅までの分割切断された薄鋼板型枠パネル２を連設することにより、比較的長いアングル５を薄鋼板型枠パネル２に取付けることができる。
【００３８】
その後、前記セパレータ３の他端にコンクリートパネル８を取付けることによってコンクリート型枠１を構築することができる。なお、当該工法においても、前記実施例と同様に、支保１０及びロープ状体１１を設けてもよい。また、当該アングル５は、薄鋼板型枠パネル２の高さに従って、図７に示すように二列に設けてもよく、また、三列以上設けてもよい。
【００３９】
なお、薄鋼板型枠パネル２に取付けたアングル５の同一線上に他のアングル５を連設する際には、各アングル５の間に約５ｍｍ程度の隙間が生じても、コンクリートの打設後に薄鋼板型枠パネル２が膨らむ等の問題はなく、容易にアングル５を連設することも可能である。
【産業上の利用可能性】
【００４０】
本発明に係るコンクリート構築物の施工方法によれば、外壁Ａや配管等だけでなく、その他あらゆる障害物に近接してコンクリート構造物を構築することができる。
【符号の説明】
【００４１】
１    コンクリート型枠
２    薄鋼板型枠パネル
２ａ  リブ
２ｂ  セパレータ孔
３    セパレータ
４ａ  Ｐコン
４ｂ  ナット
５    アングル
６    ランナー
７    キャップ
８    コンクリートパネル
９    フォームタイ
１０  支保
１１  ロープ状体
Ａ    外壁
α    ビス
β    コンクリート釘
【図１】
2014227762.tif 000003
【図２】
2014227762.tif 000004
【図３】
2014227762.tif 000005
【図４】
2014227762.tif 000006
【図５】
2014227762.tif 000007
【図６】
2014227762.tif 000008
【図７】
2014227762.tif 000009
【図８】
2014227762.tif 000010
【図９】
2014227762.tif 000011
【図１０】
2014227762.tif 000012
【図１１】
2014227762.tif 000013
【図１２】
2014227762.tif 000014